(57)【要約】【課題】  天井フィルタの層流機能の低下防止を図ったコンパクトなクリーンルーム非常用照明器具を提供する。【解決手段】  クリーンルーム内の天井面位置に所定間隔をあけて縦横に配設され、フィルタユニットを支持する、下面が開放した断面形の天井フレーム２内にケーシング１１を収容し、そのケーシング１１内に蓄電池１８と、点灯回路１２と、非常時点灯電球１５とが収容保持され、ケーシング１１が対象床面積に対して所定の照度が確保できるように、天井フレームの平面レイアウトに応じて、天井フレーム２内の適正位置に配置した。【選択図】  図２
2006202596.tif 000002
【特許請求の範囲】
【請求項１】
クリーンルーム内の天井面位置に所定間隔をあけて縦横に配設され、フィルタユニットを支持する、下面が開放した断面形の天井フレーム内に収容されたケーシング内に蓄電池と、点灯回路と、非常時点灯電球とが収容保持され、該ケーシングが対象床面積に対して所定の照度が確保できるように、前記天井フレームの平面レイアウトに応じて、前記天井フレーム内の適正位置に配置されたことを特徴とするクリーンルーム非常用照明器具。
【請求項２】
前記ケーシングは、前記フィルタユニットの長辺を支持する天井フレーム内に収容された照明用蛍光灯の間に配置されたことを特徴とする請求項１記載のクリーンルーム非常用照明器具。
【請求項３】
前記ケーシングは、前記フィルタユニットの短辺を支持する天井フレーム内に配置されたことを特徴とする請求項１記載のクリーンルーム非常用照明器具。
【発明の詳細な説明】
【技術分野】
【０００１】
本発明はクリーンルーム非常用照明器具に係り、天井フィルタ材を保持する細幅の天井構造フレーム内に組み込まれるようにし、天井フィルタの層流機能の低下防止を図ったコンパクトなクリーンルーム非常用照明器具に関する。
【背景技術】
【０００２】
一般にクリーンルームの天井には、室内空気の清浄化のために、天井全面にわたって高性能フィルタ材が取り付けられる一方、クリーンルーム室内での安全作業のために、十分な照度と良好な照明状態を確保できるような照明器具が選定されている。
【０００３】
また、クリーンルームにおいても、防災照明としての非常用照明器具を、対象とする床面積に対して一定照度を確保するとともに、所定時間（たとえば現行法では３０分）の点灯時間できる器具を選定し、必要数量を設置することが義務づけられている。
【０００４】
従来のクリーンルームの天井構造に設けられている非常用照明器具には、非特許文献１に示したような、種々のタイプが一般に使用されている。大別すると、ハロゲン電球非常灯を用いた小型ダウンライト形状の天井埋込みタイプや、従来の蛍光灯形状の天井埋込みタイプからなり、天井面とほぼ面一となる照明器具の下面を、アルミニウム枠等で保持された透明ガラスで覆った金属枠タイプの非常用照明器具等がある。何れのタイプも電源として、照明器具外に設置された蓄電池や、器具内に内蔵された蓄電池を、照明器具の配線の一部を附属の端子台等に接続し、停電時等の消灯を検知した際に、非常灯を点灯させるようになっている。いずれの場合にも、蓄電池の充電状態を定期的に点検する必要があるため、通常は、内蔵された点検用スイッチに吊り紐等が取り付けられ、器具外部から充電状態の確認ができるようになっている。
【０００５】
ところで、出願人はすでに、クリーンルーム内の天井有効高さを確実に確保し、天井内部の高さを削減し、施工時において、少ない部品点数で、天井フィルタ板材、管球の交換等のメンテナンス作業も容易に行えるクリーンルーム用照明器具（特許文献１）を開発している。このようなタイプの照明器具に対して、たとえば上述の非特許文献１に開示されたようなダウンライト形状の非常用照明器具を組み込むには、フィルタ部材の一部をくり抜くなどの加工を行って設置する必要があり、特許文献１で示したクリーンルーム用照明器具の効果を減じるものであり、好ましくない。
【０００６】
また、コンパクトな非常用照明器具を、一般照明器具とともに天井構造に配置されるフィルタ一部に取り入れた先行技術として特許文献２がある。この特許文献２に開示された非常用照明器具は、クリーンルーム用のものではないが、蛍光灯タイプの照明器具を天井から吊持する一対のＴバーと同一のＴバーを用いた吊下り形式で蛍光灯と並列した位置に設置されるようになっている。
【０００７】
【非特許文献１】松下電工（株），商品一覧，非常用照明器具（電池内蔵型），［online］，［平成１７年１月１１日検索］，インターネットＵＲＬ＜http://www.mew.co.jp/Ebox/bousai/hijonai/b_hijonai_clrh_na_l_s.html＞
【特許文献１】特開２００３−３２８４９４公報
【特許文献２】特開平９−１０５９９号公報
【発明の開示】
【発明が解決しようとする課題】
【０００８】
非特許文献１に開示されたクリーンルーム用非常用照明器具は、ダウンライトタイプ、蛍光灯タイプのいずれの場合も、天井全面を覆うように、組み込まれるＨＥＰＡフィルタ等で構成されるフィルタユニットの一部を切り取り、非常用照明器具を埋設する必要がある。このため、天井全面をフィルタ天井構造とすることができず、天井構造を吊り下げて組み立てる工程とは、別に一般の照明器具、非常用照明器具を吊り下げて天井構造に組み込む設備工事とを合わせて行わなければならない。
【０００９】
また、特許文献２に開示された非常用照明器具を天井構造に取り付けるためには、天井板と、一般の照明器具として蛍光灯とを吊持するＴバーと呼ばれる吊り下げ用部材を、非常用照明器具のために、もう一列余計に設置しなければならず、作業工程が増えるとともに、吊り下げ部材が天井面に多く配列されるため、天井を見上げた際、意匠的にも見栄えがよくないという問題がある。
【００１０】
さらに、特許文献１に記載されたように、クリーンルーム用照明器具においては、天井フィルタ面近傍の突起部が設けられていると、天井フィルタ面からの下降層流が乱され、クリーンルームの層流機能が低下する。たとえば点検用スイッチの吊り紐によってもこの層流機能の低下のおそれがある。
【００１１】
そこで、本発明の目は上述した従来の技術が有する問題点を解消し、天井フィルタ材を保持する細幅の天井構造フレーム内に組み込まれるようにしたコンパクトなクリーンルーム非常用照明器具を提供することにある。
【課題を解決するための手段】
【００１２】
上記目的を達成するために、本発明はクリーンルーム内の天井面位置に所定間隔をあけて縦横に配設され、フィルタユニットを支持する、下面が開放した断面形の天井フレーム内に収容されたケーシング内に蓄電池と、点灯回路と、非常時点灯電球とが収容保持され、該ケーシングが対象床面積に対して所定の照度が確保できるように、前記天井フレームの平面レイアウトに応じて、前記天井フレーム内の適正位置に配置されたことを特徴とする。
【００１３】
前記ケーシングは、前記フィルタユニットの長辺を支持する天井フレーム内に収容された照明用蛍光灯の間に配置することが好ましい。
【００１４】
または、前記ケーシングは、前記フィルタユニットの短辺を支持する天井フレーム内に配置することが好ましい。
【発明の効果】
【００１５】
本発明によれば、天井フィルタ材を保持する細幅の天井構造フレーム内に組み込まれるようにしたので、非常用照明器具をコンパクトにしてクリーンルームの層流機能の低下を防止でき、非常灯としての必要照度に応じて天井フレームを利用した自由度のあるな非常用照明のレイアウトを容易に実現できるという効果を奏する。
【発明を実施するための最良の形態】
【００１６】
以下、本発明のクリーンルーム非常用照明器具の実施するための最良の形態として、以下の実施例について添付図面を参照して説明する。
【実施例】
【００１７】
以下、本発明のクリーンルーム非常用照明器具の一実施の形態について、添付図面を参照して説明する。図１各図は、縦横に配置された天井フレーム２で支持されたフィルタユニット４の配置例および天井フレーム２の所定位置に組み込まれたクリーンルーム非常用照明器具１０（以下、単に非常用照明器具）を模式的に示した天井構造の見上げ図である。このクリーンルームのフィルタ天井構造は、同図（ａ）に示したように、所定間隔をあけて縦横に配設された天井フレーム２間の離隔の内法寸法にほぼ等しい平面寸法の天井フィルタ板材としてのフィルタユニット４で天井全面が覆われており、各フィルタユニット４はブラケット５（図２参照）を介して天井フレーム２の一部に支持されている。同図（ａ）では、特許文献１に開示された照明器具としての蛍光灯６が１本の天井フレーム２内に所定間隔をあけて組み込まれており、非常用照明器具は、それら照明器具の間に位置するように、天井フレーム２内に収容されている。同図（ｂ）の実施例では、蛍光灯６が連続して配置されているため、非常用照明器具１０はフィルタユニット４を支持する天井フレーム２の短辺（本実施例では６００mm）内に収容されている。
【００１８】
図２は、クリーンルーム非常用照明器具１０（以下、単に非常用照明器具１０と記す。）が組み込まれた天井構造１の一部を示した部分断面図である。同図に示したように、天井構造１は、下方が開放され内部に、非常用照明器具１０及び照明器具としての蛍光灯６（図１）が収容支持される断面形状からなる天井フレーム２が天井面を構成するように、室内で図示しない上階躯体から吊持されている。天井フレーム２自体は、図１に示したように長手方向に所定間隔で配設された吊りボルト３等の公知の支持構造により図示しない天井躯体に吊持されている。このとき隣接する吊りボルト３間は一部を示した振れ止め材３Ｂで連結されている。本実施例ではフィルタユニット４としてＨＥＰＡフィルタ４Ａの上部に同厚のファンユニット４Ｂが一体的に積層されたタイプが示されている。なお、図２の左半分は、ブラケット５の設けられていない天井フレーム２の中間スパン位置でのフィルタユニット４の保持状態を示している。
【００１９】
非常用照明器具１０を内部に収容する天井フレーム２は、図２に示したように、主構造部２ａの下方が開放されたコ字形断面をなし、さらに主構造部２ａの上面に吊りボルト３のナット収容支持部２ｂが一体的に成形されたアルミニウム部材からなる。一方、開放された下端の内面側には長手方向に沿って上下２段の突起爪２ｃ，２ｄが形成されている。上部突起爪２ｃは水平に突設され、下部突起爪２ｄは先端が下方に向くＬ字形断面に形成されている。
【００２０】
本発明の非常用照明器具１０は、横断面図（図２）、縦断面（図３（ａ））、及び見上げ図（図３（ｂ））に示したように、底部が開放された断面逆Ｕ字形の細長いケーシング１１内の所定位置に各部品が収容固定され、ケーシング１１の上部が吊りボルト３を介して天井フレーム２内面に形成されたケーシング吊り支持部２ｅにネジ止めされ、ケーシング１１が天井フレーム２内に固定収容されるようになっている。そのとき、ケーシング１１は上部突起爪２ｃで側方が支持され、天井フレーム２内の所定位置に位置保持できるようになっている。
【００２１】
非常用照明器具１０は、図２に示したように、天井フレーム２内に収容されたケーシング１１内に点灯回路本体１２がネジ止めされ、この点灯回路本体１２の下端に反射カバー１３が介装され、反射カバー１３内のソケット１４に非常灯１５が装着されている。本実施例では、非常灯１５として、一例としてハロゲン電球（４．８Ｖ、１３Ｗ）が使用されている。このハロゲン電球は、小型の管球で高い照度を確保できるため、前述のように、天井面から管球が露出して、層流機能の低下等が生じるのを有効に防止できる。反射カバー１３には、全体として全体がやや丸みを帯びた角錐台形の碗状をなしたアルミニウムの一体成形品が用いられている。また、天井フレーム２の下面には図２，図３（ｂ）に示したように、化粧カバー１６が天井フレームの下面に貼着されている。この化粧カバー１６には天井フレーム２の他の下面部分を覆うカバーと同一材料が用いられ、また化粧カバー１６表面にネジ頭等の突起物が露出せず、天井フレーム２の意匠上の統一が図られ、層流機能の低下防止にもなっている。この化粧カバー１６の材質としては、つや消しされたアルミニウム薄板材が好適である。このとき化粧カバー１６の両端は、図２に示したように、屈曲加工され、天井フレーム２の下部突起爪２ｄ部分に係止保持しておくことが好ましい。
【００２２】
一方、非常用照明器具１０のケーシング１１内の長手方向には図３（ａ），（ｂ）に示したように、非常用照明器具１０として作動するための各部品がケーシング１１に固定されるようにして収容されている。停電時等を検知するために照明器具側の配線からの連結端子台１７が非常灯１５と反対側のケーシング端部に設けられている。また、ケーシング１１内には筒状をなした２本の蓄電池１８が図示しないバンドによってケーシング１１内に保持されている。本実施例では、蓄電池１８としてニッケルカドミウム蓄電池（直列４．８Ｖ）が採用されている。さらにケーシング１１内には点灯制御回路基板１９と、バッテリーチェッカー２０が収容されている。長手方向に並んで配置されている。バッテリーチェッカー２０は、器具を設置してから長期間が経過した際の、蓄電池１８の放電状態を確認するためのものである。本実施例では、ケーシング１１内に収容された点検スイッチ２１から吊り下げられ、化粧カバー１６に形成されたスリット１６ａからわずかに露出したフック２２を、図示しない引き下げ具等を用いて作動させることで点検するようにした。本実施例では点検スイッチ近くに設けられたＬＥＤ２３を点灯させることにより良好状態あるいは要交換状態かを確認できるようになっている。フック２２は化粧カバー１６の表面からわずかしか露出していないため、天井フィルタからの下降層流を乱すことがないというメリットもある。
【００２３】
以上に述べたように、ケーシング内に器具一式が収容されているため、天井フレームのいずれの位置にも容易に設置することができ、フィルタユニットを支持する縦横に配置された天井フレームにおいて、自由度の高いレイアウトにより配置させることができる。また、個々の非常灯のワット数を高く設定して、照明器具の設置数を少なくしたりすることも容易に行える。
【図面の簡単な説明】
【００２４】
【図１】クリーンルーム非常用照明器具が組込まれた天井構造の一部を示した見上げ図。
【図２】本発明のクリーンルーム非常用照明器具の一実施例を示した横断面図。
【図３】本発明のクリーンルーム非常用照明器具の一実施例を示した縦断面図、底面図。
【符号の説明】
【００２５】
１  天井構造
２  天井フレーム
４  フィルタユニット
１０  非常用照明器具
１１  ケーシング
１５  非常灯
１８  蓄電池
１９  点灯制御回路基板
２０  バッテリーチェッカー
【図１】
2006202596.tif 000003
【図２】
2006202596.tif 000004
【図３】
2006202596.tif 000005